(57)【要約】【課題】情報処理装置に内蔵したときにデッドスペースが生じにくいコネクタ付き基板、及び、このコネクタ付き基板を内蔵する情報処理装置を提供する。【解決手段】コネクタ付き基板は、所定の形状に端部を切り欠かれた切り欠き部を有する基板と、この切り欠き部に囲まれるように切り欠き部の最深側から取り付けられたコネクタとを有する。また、情報処理装置は、このコネクタ付き基板を内蔵するとともに、ユーザが外部からコネクタに他のコネクタを接続することができるように設けられた開口を有する筐体を有する。なお、コネクタは、この開口から筐体外に突出しないように内蔵されている。【選択図】図１
2008205150.tif 000002
【特許請求の範囲】
【請求項１】
所定の形状に端部を切り欠かれた切り欠き部を有する基板と、前記切り欠き部に囲まれるように前記切り欠き部の最深側から取り付けられたコネクタとを有することを特徴とするコネクタ付き基板。
【請求項２】
所定の形状に端部を切り欠かれた切り欠き部を有する基板と、前記切り欠き部に囲まれるように前記切り欠き部の最深側から取り付けられたコネクタとを有するコネクタ付き基板と、
前記コネクタ付き基板を内蔵するとともに、ユーザが外部から前記コネクタに他のコネクタを接続することができるように設けられた開口を有する筐体とを有し、
前記コネクタが、前記開口から前記筐体外に突出しないように、前記コネクタ付き基板が前記筐体内に内蔵されていることを特徴とする情報処理装置。
【請求項３】
前記開口と前記コネクタ基板との隙間を塞ぐように、且つ、前記コネクタを囲むように、前記基板に取り付けられたキャップを有することを特徴とする請求項２記載の情報処理装置。
【発明の詳細な説明】
【技術分野】
【０００１】
本発明は、コネクタ付き基板、及び、コネクタ付き基板を内蔵する情報処理装置に関する。
【背景技術】
【０００２】
従来より、パーソナルコンピュータに代表される情報処理装置にＦ型コネクタ付きの基板を内蔵し、ＴＶ番組等を視聴等している。図８に、例えば、特許文献１に開示されているような従来のＦ型コネクタ付きユニットを示す。図８を参照すると、従来のＦ型コネクタ付きユニットでは、Ｆ型コネクタ１０１がユニット本体１００から突出して取り付けられていた。
【０００３】
【特許文献１】特開平１０−２１５１４８号公報
【発明の開示】
【発明が解決しようとする課題】
【０００４】
ここで、図８を用いて説明した上述した従来のようなＦ型コネクタ付きユニットを情報処理装置に内蔵する際、ユニット本体１００のみを内蔵すると、Ｆ型コネクタ１０１が情報処理装置筐体から突出してしまい、情報処理装置を移動させたりする際など、突出したＦ型コネクタ１０１が邪魔になることがある。一方、ユニット本体１００を情報処理装置にＦ型コネクタ１０１を含めて内蔵すると、デッドスペース１０２及び１０３ができてしまい、情報処理装置の小型化を阻むことになる。
【０００５】
そこで、本発明は、情報処理装置に内蔵したときに上述したようなデッドスペースが生じにくいコネクタ付き基板、及び、このようなコネクタ付き基板を内蔵する情報処理装置を提供することを目的とする。
【課題を解決するための手段】
【０００６】
本発明のコネクタ付き基板は、所定の形状に端部を切り欠かれた切り欠き部を有する基板と、前記切り欠き部に囲まれるように前記切り欠き部の最深側から取り付けられたコネクタとを有することを特徴とする。
【０００７】
本発明の情報処理装置は、所定の形状に端部を切り欠かれた切り欠き部を有する基板と、前記切り欠き部に囲まれるように前記切り欠き部の最深側から取り付けられたコネクタとを有するコネクタ付き基板と、前記コネクタ付き基板を内蔵するとともに、ユーザが外部から前記コネクタに他のコネクタを接続することができるように設けられた開口を有する筐体とを有し、前記コネクタが、前記開口から前記筐体外に突出しないように、前記コネクタ付き基板が前記筐体内に内蔵されていることを特徴とする。
【発明の効果】
【０００８】
本発明によれば、情報処理装置に内蔵したときにデッドスペースが生じにくいコネクタ付き基板、及び、このようなコネクタ付き基板を内蔵する情報処理装置を提供することができる。
【発明を実施するための最良の形態】
【０００９】
以下、図面を参照して本発明を実施するための最良の形態について詳細に説明する。
【００１０】
図１は、本発明の実施の形態のＦ型コネクタ付き基板の斜視図である。図１を参照すると、Ｆ型コネクタ付き基板は、Ｆ型コネクタ１０と基板部２０とを有する。Ｆ型コネクタは基板２０に取り付けられる基部１１とコネクタ部とを有する。また、基板部２０には図示せぬ電子部品が実装されている。基板部２０は、コの字に切り欠かれたコの字部２１を有し、オス側のコネクタとＦ型コネクタ１０との接続の容易性を図っている。なお、本実施の形態では、基板部２０の切り欠き箇所はコの字となっているが、コの字でなくてもよい。
【００１１】
このように、Ｆ型コネクタ１０を基板部２０が切り欠かれたコの字部２１に配設することにより、図８を用いて説明した従来のようなデッドスペースは生じず、基板部２０の領域３０にも電子部品を配置することができる。その結果、情報処理装置にＦ型コネクタ付き基板をＦ型コネクタ１０とともに内蔵して実装する際、情報処理装置筐体内でのデッドスペースを抑制することができる。
【００１２】
図２は、図１を用いて説明したＦ型コネクタ付き基板を携帯型情報処理装置（本実施の形態ではノート型パーソナルコンピュータ）に実装した状態を示す斜視図である。なお、この斜視図は、ノート型パーソナルコンピュータを底面側から見た図である。このノート型パーソナルコンピュータは、本体部と本体部に対して開閉可能な表示部とを有しており、本体部にはキーボードを有している。図２を参照すると、Ｆ型コネクタ１０は、ノート型パーソナルコンピュータの開口部３１を介して装置外からアクセス可能になっているものの、筐体外には突出しておらず、ユーザが携帯するときにＦ型コネクタ１０が何かに引っかかることはない。
【００１３】
ところで、図１を用いて説明したＦ型コネクタ付き基板を図２に示したようなノート型パーソナルコンピュータに実装すると、ノート型パーソナルコンピュータの開口部３１から粉塵等が、筐体内部に入ってしまうことがある。そこで、以下に説明するキャップを開口部３１に取り付けることにより、開口部３１から粉塵等が筐体内へ混入することを抑制することができる。
【００１４】
図３はキャップ４０をＦ型コネクタ付き基板に取り付けた状態を示す図であり、図４は、キャップ４０をＦ型コネクタ付き基板に取り付ける前の状態を示す図である。また、図５は、キャップ４０を取り付けたＦ型コネクタ付き基板の上面図であり、図６は前面図であり、図７は下面図である。
【００１５】
図３ないし図７を参照すると、キャップ４０は、基板部２０にキャップ４０を取り付けるための取り付け部４１及び４２を有している。取り付け部４１及び４２は基板部２０を挟み込む構造となっている。また、キャップ４０は防塵部４３を有し、この防塵部４３はノート型パーソナルコンピュータの開口部３１に対応する形状となっており、さらに、Ｆ型コネクタの基部１１の外縁まで延伸しており、開口部３１からの粉塵等の混入を抑制している。また、キャップ４０は、後述する支持部（リブ）４４を有している。
【００１６】
ところで、Ｆ型コネクタ付き基板は、ノート型パーソナルコンピュータに、図７において斜線により図示されるブラケット５０等により取り付けられる。この際、キャップ４０の支持部４４がノート型パーソナルコンピュータの本体部の筐体のキーボード側に位置し、またブラケットが本体部の筐体の底面側に位置する。そして、支持部４４とブラケット５０によりＦ型コネクタ付き基板のふらつきを抑えている。
【００１７】
以上説明した本実施の形態では、コネクタとしてＦ型コネクタを例示して説明したが、他のコネクタにも本発明は適用可能である。
【図面の簡単な説明】
【００１８】
【図１】本発明の実施の形態のＦ型コネクタ付基板の斜視図である。
【図２】Ｆ型コネクタ付き基板を携帯型情報処理装置に実装した状態を示す斜視図である。
【図３】キャップ４０をＦ型コネクタ付き基板に取り付けた状態を示す図である。
【図４】キャップ４０をＦ型コネクタ付き基板に取り付ける前の状態を示す図である。
【図５】キャップ４０を取り付けたＦ型コネクタ付き基板の上面図である。
【図６】キャップ４０を取り付けたＦ型コネクタ付き基板の前面図である。
【図７】キャップ４０を取り付けたＦ型コネクタ付き基板の下面図である。
【図８】従来のＦ型コネクタ付き基板を示す図である。
【符号の説明】
【００１９】
１０  Ｆ型コネクタ
１１  基部
１２  コネクタ部
２０  基板部
２１  コの字部
３１  開口部
４０  キャップ
４１  取り付け部
４２  取り付け部
４３  防塵部
４４  支持部
５０  ブラケット
１００  ユニット本体
１０１  Ｆ型コネクタ
１０２  デッドスペース
１０３  デッドスペース
【図１】
2008205150.tif 000003
【図２】
2008205150.tif 000004
【図３】
2008205150.tif 000005
【図４】
2008205150.tif 000006
【図５】
2008205150.tif 000007
【図６】
2008205150.tif 000008
【図７】
2008205150.tif 000009
【図８】
2008205150.tif 000010